(57)【要約】【課題】授乳時にユーザが窮屈さ等の不快感を感じることなく、ユーザの乳房の大きさ等に制限が無い授乳服を提供する。【解決手段】前身頃と、後身頃と、前身頃と後身頃との間に設けられてユーザの腕を通す２つのアームホール部と、授乳服におけるユーザのウエスト周りに位置するウエスト周り部分に配置されて、当該ウエスト周り部分をユーザのウエスト周りに沿う方向に伸縮可能に絞る絞り部とを備え、２つのアームホール部の最下部は、それぞれ、ユーザが授乳服を着た状態においてユーザのアンダーバストの最下部よりも下まで達し、２つのアームホール部の少なくとも一方は、授乳時において、ユーザの乳房方向に引き寄せられることによって変形して、少なくとも乳首の１つを露出できる。【選択図】図４
2010163721.tif 000002
【特許請求の範囲】
【請求項１】
衣服として着用した状態で授乳できる授乳服であって、
前身頃と、
後身頃と、
前記前身頃と前記後身頃との間に設けられてユーザの腕を通す２つのアームホール部と、
前記授乳服におけるユーザのウエスト周りに位置するウエスト周り部分に配置されて、当該ウエスト周り部分をユーザのウエスト周りに沿う方向に伸縮可能に絞る絞り部とを備え、
前記２つのアームホール部の最下部は、それぞれ、ユーザが前記授乳服を着た状態においてユーザのアンダーバストの最下部よりも下まで達し、
前記２つのアームホール部の少なくとも一方は、授乳時において、ユーザの乳房方向に引き寄せられることによって変形して、少なくとも乳首の１つを露出できることを特徴とする、授乳服。
【請求項２】
前記２つのアームホール部の少なくとも一方は、授乳時において、ユーザの乳房方向に引き寄せられることによって変形して、少なくとも乳房の１つを露出できることを特徴とする、請求項１に記載の授乳服。
【請求項３】
前記２つのアームホール部は、いずれも、内縁部分に、当該内縁部分に沿う方向に伸縮可能に絞る伸縮部を含むことを特徴とする、請求項１に記載の授乳服。
【請求項４】
前記絞り部は、シャーリングによって形成されることを特徴とする、請求項１に記載の授乳服。
【請求項５】
前記絞り部は、面ファスナーを用いて形成されることを特徴とする、請求項１に記載の授乳服。
【請求項６】
衣服として着用した状態で授乳できる授乳服であって、
第１の授乳服と、
前記第１の授乳服の内側に着る第２の授乳服とを備え、
前記第１の授乳服は、ユーザのアンダーバストの最下部より少なくとも下まで開口するネックホール部を含み、
前記第２の授乳服は、請求項１〜５に記載の授乳服のいずれかであることを特徴とする、授乳服。
【発明の詳細な説明】
【技術分野】
【０００１】
本発明は、衣服として着用した状態で乳児に授乳できる授乳服に関する。
【背景技術】
【０００２】
衣服として着用した状態で乳児に授乳できる授乳服として、例えば、特許文献１及び特許文献２の授乳服がある。
【０００３】
図１５は、特許文献１に記載された授乳服５００を示す図である。図１５に示すように、従来の授乳服５００は、本体洋服５０１の前身頃の内側に内前身頃５０２を逢着した構成である。内前身頃５０２は、本体洋服５０１の四隅（肩位置５０３ａ、肩位置５０３ｂ、腰位置５０３ｃ及び腰位置５０３ｄ）で本体洋服５０１に逢着されている。
【０００４】
図１６は、特許文献１に記載された授乳服５００を着用したユーザが、授乳を行うために乳房を露出させた状態を示す図である。図１６に示すように、ユーザは、内前身頃５０２を横方向に引っ張ることによって、本体洋服５０１の襟刳りから乳房を露出させる。
【０００５】
図１７は、特許文献２に記載された授乳服６００を示す図である。図１７に示すように、従来の授乳服６００は、本体洋服６０１の前身頃の内側に内前身頃６０２を装着した構成である。内前身頃６０２は、本体洋服６０１の上部４つの位置（肩位置６０３ａ、肩位置６０３ｂ、袖位置６０３ｃ及び袖位置６０３ｄ）で本体洋服６０１に逢着されている。また、内前身頃６０２は、内前身頃６０２の下部両端位置に設けられたボタン等の着脱手段６０４ａ及び６０３ｂを用いて、本体洋服６０１に留め付けられている。
【０００６】
図１８は、特許文献２に記載された授乳服６００を着用したユーザが、授乳を行っている状態を示す図である。図１８に示すように、ユーザは、着脱手段６０４ａ及び６０４ｂを外して内前身頃６０２を本体洋服６０１の襟刳りから外に引き出すことによって、本体洋服６０１の襟刳りから乳房を露出させる。
【先行技術文献】
【特許文献】
【０００７】
【特許文献１】登録実用新案第３１１０８１１号公報
【特許文献２】特開２００６−６３４７１号公報
【発明の概要】
【発明が解決しようとする課題】
【０００８】
しかしながら、上述した従来の授乳服には、以下の問題がある。
【０００９】
従来の授乳服５００は、内前身頃５０２が本体洋服５０１と、内前身頃５０２の四隅で逢着されている（図１５を参照）。このため、ユーザが内前身頃５０２を引っ張って乳房を露出させた状態（図１６の状態）において、本体洋服５０１の逢着部分が内前身頃５０２に引っ張られて引き攣れが生じる。このことによって、ユーザは、授乳時に窮屈さ等の不快感を感じ易い。また、従来の授乳服５００では、内前身頃５０２が本体洋服５０１と内前身頃５０２の四隅で逢着されているために、授乳時に露出できる乳房の大きさや形に制限がある。つまり、あまり大きな乳房等は露出させ難い。
【００１０】
ところで、従来の授乳服５００は、授乳という特定の用途を持つ授乳服であることを理由に、デザインのバリエーションが一般婦人服と比べて少ない。このことから、ユーザは、従来の授乳服５００を使用する場合には、衣服としてのデザイン選択の範囲が大きく制限される。つまり、ユーザの衣服に関するお洒落の範囲が狭まる。
【００１１】
従来の授乳服６００では、授乳時において、着脱手段６０４ａ及び６０４ｂによって留め付けられた内前身頃６０２の下部を、本体洋服６０１から取り外して引き出すことによって乳房を露出させる。このため、乳房を露出させた状態において、本体洋服６０１が内前身頃６０２に引っ張られて生じる引き攣れは生じ難い。また、同様の理由で、授乳時に露出できる乳房の大きさや形に制限は少ない。
【００１２】
しかしながら、従来の授乳服６００もまた、内前身頃６０２とセットとなる本体洋服６０１が必要であり、従来の授乳服５００と同様の理由で、デザインのバリエーションが一般婦人服と比べて少ない。このことから、ユーザは、従来の授乳服６００を使用する場合にも、衣服としてのデザイン選択の範囲が大きく制限される。つまり、ユーザの衣服に関するお洒落の範囲が狭まる。
【００１３】
それ故に、本発明の目的は、授乳時にユーザが窮屈さ等の不快感を感じることなく、ユーザの乳房の大きさ等に制限が無い授乳服を提供することである。
【００１４】
また、本発明の他の目的は、衣服としてのデザイン選択の範囲の制限を抑制して、ユーザの衣服に関するお洒落の範囲が狭まることを回避できる授乳服を提供することである。
【課題を解決するための手段】
【００１５】
本発明は、衣服として着用した状態で授乳できる授乳服に向けられている。そして、上記目的を達成させるために、本発明の授乳服は、前身頃と、後身頃と、前身頃と後身頃との間に設けられてユーザの腕を通す２つのアームホール部と、授乳服におけるユーザのウエスト周りに位置するウエスト周り部分に配置されて、当該ウエスト周り部分をユーザのウエスト周りに沿う方向に伸縮可能に絞る絞り部とを備え、２つのアームホール部の最下部は、それぞれ、ユーザが授乳服を着た状態においてユーザのアンダーバストの最下部よりも下まで達し、２つのアームホール部の少なくとも一方は、授乳時において、ユーザの乳房方向に引き寄せられることによって変形して、少なくとも乳首の１つを露出できる。
【００１６】
また、２つのアームホール部の少なくとも一方は、授乳時において、ユーザの乳房方向に引き寄せられることによって変形して、少なくとも乳房の１つを露出できることが好ましい。
【００１７】
また、２つのアームホール部は、いずれも、内縁部分に、当該内縁部分に沿う方向に伸縮可能に絞る伸縮部を含んでもよい。
【００１８】
また、絞り部は、シャーリングによって形成されてもよい。
【００１９】
また、絞り部は、面ファスナーを用いて形成されてもよい。
【００２０】
また、本発明は、衣服として着用した状態で授乳できる他の授乳服にも向けられている。そして、上記目的を達成させるために、本発明の他の授乳服は、第１の授乳服と、第１の授乳服の内側に着る第２の授乳服とを備え、第１の授乳服は、ユーザのアンダーバストの最下部より少なくとも下まで開口するネックホール部を含み、第２の授乳服は、上記した授乳服のいずれかである。
【発明の効果】
【００２１】
以上に説明した構成によって、本発明は、授乳時にユーザが窮屈さ等の不快感を感じることなく、ユーザの乳房の大きさ等に制限が無い授乳服を提供できる。また、本発明は、衣服としてのデザイン選択の範囲を制限せず、ユーザの衣服に関するお洒落の範囲が狭まることを回避できる授乳服を提供できる。
【図面の簡単な説明】
【００２２】
【図１】本発明の第１の実施形態に係る授乳服１００の一例を前から視た図
【図２】本発明の第１の実施形態に係る授乳服１００の一例を後ろから視た図
【図３】本発明の第１の実施形態に係る授乳服１００の一例をユーザが着用した状態を前から視た図
【図４】本発明の第１の実施形態に係る授乳服１００の一例を着用したユーザが、授乳を行うために乳房を露出させた状態を示す図
【図５】図４に示した状態（授乳時の状態）における授乳服１００の一例の形状について詳しく説明するための図
【図６】本発明の授乳服１００に重ね着する一般婦人服２００の一例を示す図
【図７】ユーザが、図６に示す一般婦人服２００の一例の下に本発明の授乳服１００を着た状態を示す図
【図８】図７に示した状態において、ユーザが、授乳するために乳房を露出させた状態を示す図
【図９】本発明の授乳服１００に重ね着する一般婦人服２００の他の一例を示す図
【図１０】図９に示した状態において、ユーザが、授乳するために乳房を露出させた状態を示す図
【図１１】本発明の授乳服１００に重ね着する一般婦人服２００の他の一例を示す図
【図１２】本発明の授乳服１００の絞り部１０３ａ及び絞り部１０３ｂが、面ファスナーによって形成された場合を示す図
【図１３】本発明の授乳服１００が伸縮部１２０ａ及び１２０ｂを備える場合を示す図
【図１４】本発明の授乳服１００のネックホール１０５のデザインブァリエーションの一例を示す図
【図１５】特許文献１に記載された従来の授乳服５００を示す図
【図１６】特許文献１に記載された従来の授乳服５００を着用したユーザが授乳を行うために乳房を露出させた状態を示す図
【図１７】特許文献２に記載された従来の授乳服６００を示す図
【図１８】特許文献２に記載された従来の授乳服６００を着用したユーザが授乳を行っている状態を示す図
【発明を実施するための形態】
【００２３】
（第１の実施形態）
図１は、本発明の第１の実施形態に係る授乳服１００の一例を前から視た図である。図２は、本発明の第１の実施形態に係る授乳服１００の一例を後ろから視た図である。図１及び図２に示すように、授乳服１００は、前身頃１０１と後身頃１０２とを備える。前身頃１０１と後身頃１０２とは、肩の部分及び脇腹の部分において互いに逢着されている。
【００２４】
また、図１及び図２に示すように、授乳服１００において、ユーザのウエスト周りに位置するウエスト部分には、絞り部１０３ａ及び絞り部１０３ｂが備えられる。絞り部１０３ａ及び絞り部１０３ｂは、ユーザのウエスト周りに位置するウエスト部分を当該ウエスト周りに沿った方向に伸縮可能に絞る。図１及び図２では、一例として、授乳服１００のウエスト部分の両サイドに、シャーリングによって形成される２つの絞り部１０３ａ及び絞り部１０３ｂが備えられる場合を示している。しかし、絞り部１０３ａ及び絞り部１０３ｂは、ウエスト部分をウエスト周りに沿った方向に伸縮可能に絞ることができればよく、数量は２つに限られず、また、シャーリングによって形成されるものに限られない。
【００２５】
また、図１及び図２に示すように、授乳服１００には、ユーザの腕を通すアームホール１０４ａ及び１０４ｂと、ユーザの首を通すネックホール１０５とが形成される。図３は、本発明の第１の実施形態に係る授乳服１００の一例をユーザが着用した状態を前から視た図である。図３に示すように、アームホール１０４ａ及び１０４ｂは、ユーザが授乳服１００を着た状態において、ユーザの乳房１０６ａ及び１０６ｂのアンダーバストライン１０７の位置よりも下まで達するように開口している。ここで、本発明の各実施形態の説明における「ユーザ」は、本発明の授乳服１００のサイズ（例えば、Ｓ、Ｍ、Ｌサイズ）に合った体格のユーザであって、平均的な大きさ及び形状の乳房を持つユーザを指すものとする。また、上記したアンダーバストライン１０７の位置は、このユーザのアンダーバストラインの位置である。
【００２６】
図４は、本発明の第１の実施形態に係る授乳服１００の一例を着用したユーザが、授乳を行うために乳房を露出させた状態を示す図である。図４に示すように、ユーザは、アームホール１０４ａ又は１０４ｂを横方向（乳房方向）に引き寄せて変形させることによって、アームホール１０４ａ又は１０４ｂから一方の乳房を露出させる。このとき、乳房を露出させたアームホール１０４ａ又は１０４ｂは、図４に示すように、露出した乳房の丸みに沿うように変形する。
【００２７】
なお、授乳において、ユーザは、少なくとも乳首の１つを露出できればよいので、アームホール１０４ａ及び１０４ｂは、少なくとも乳首の１つを露出できる開口寸法を有する必要がある。しかしながら、乳首のみならず乳房全体を露出させた方が容易に授乳を行えるので、アームホール１０４ａ及び１０４ｂは、上記したように、変形して一方の乳房全体を露出できる開口寸法を有することが好ましい。
【００２８】
図５は、図４に示した状態（授乳時の状態）における授乳服１００の一例の形状について詳しく説明するための図である。図５に示すように、アームホール１０４ａは、乳房が露出することに伴って引っ張られて乳房の丸みに沿って変形する。また、図５に示すように、絞り部１０３ａは、アームホール１０４ａが引っ張られて変形することに伴って、ユーザのウエスト周りに沿う方向に伸びる。なお、絞り部１０３ａ及び１０３ｂは、授乳を行わない通常時には、収縮している。
【００２９】
以上に説明したように、本発明の授乳服１００は、通常時には、絞り部１０３ａ及び１０３ｂが収縮しているので、ぶかぶかせずユーザの体にフィットし、乳房部分を前身頃で覆う。一方で、本発明の授乳服１００は、授乳時には、アームホール１０４ａ又は１０４ｂの変形状態に応じて絞り部１０３ａ及び１０３ｂが伸びるので、必要以上に乳房を露出することなく快適な授乳を可能にする。このことによって、ユーザは、授乳用ブラジャー等の下着の上に本発明の授乳服１００を着ても、必要に応じて快適に授乳することができる。また、本発明の授乳服１００は、絞り部１０３ａ及び１０３ｂがユーザの乳房の大きさ及び形状に応じて伸びるので、ユーザの乳房の大きさ及び形状に関わらず、快適な授乳を可能にする。
【００３０】
以上では、本発明の授乳服１００単体で使用する場合に着目して説明を行った。以下では、本発明の授乳服１００に一般婦人服を重ね着した場合に着目して、説明を行う。
【００３１】
図６は、本発明の授乳服１００に重ね着する一般婦人服２００の一例を示す図である。図７は、ユーザが、図６に示す一般婦人服２００の一例の下に本発明の授乳服１００を着た状態を示す図である。図８は、図７に示した状態において、ユーザが、授乳するために乳房を露出させた状態を示す図である。なお、図７及び図８において、点線は、本発明の授乳服１００を示す。
【００３２】
図８に示すように、ユーザは、ボタン２１０をボタンホール（図示せず）から外すことによって、一般婦人服２００のネックホール２０５を、ユーザのアンダーバストライン１０７よりも下まで開口させる。そして、ユーザは、授乳服１００のアームホール１０４ａ又は１０４ｂを横方向（乳房方向）に引き寄せることによって、アームホール１０４ａ又は１０４ｂから一方の乳房を露出させる（図４を参照）。同時に、ユーザは、一般婦人服２００のネックホール２０５を横方向に開口させることによって、授乳服１００から露出させた乳房を一般婦人服２００から露出させる。
【００３３】
この様にすることによって、本発明の授乳服１００によれば、ユーザは、本発明の授乳服１００に一般婦人服２００を重ね着した場合であっても、授乳服１００単体で使用する場合（図４を参照）と同様に、必要以上に乳房を露出することなく快適な授乳を可能にする。
【００３４】
更に、本発明の授乳服１００は、上記したように、一般婦人服２００を重ね着して使用できるので、衣服としてのデザイン選択の範囲の制限を抑制して、ユーザの衣服に関するお洒落の範囲が狭まることを回避できる。
【００３５】
ここで、図６〜図８に示した一般婦人服２００は、ボタン等の着脱手段によってネックホール２０５の開口が大きく広がるタイプであった。しかし、一般婦人服２００は、例えば、図９に示すように、大きく開口したＶネックのネックホール２０５を備えるタイプであってもよい。図９のタイプの一般婦人服２００であっても、ユーザは、図１０に示すように、図８と同様に乳房を露出させて快適に授乳できる。
【００３６】
また、図６〜９では、一般婦人服２００のネックホール２０５から乳房を露出させる場合を示した。しかしながら、ユーザは、例えば、図１１に示すように、ネックホール２０５が大きく開口しないタイプの一般婦人服２００を本発明の授乳服１００に重ね着する場合には、一般婦人服２００を捲り上げて乳房を露出させてもよい。
【００３７】
以上に説明したように、本発明の授乳服１００は、多種多様な一般婦人服２００を重ね着した場合であっても、快適な授乳を可能にする。このことから、本発明の授乳服１００によれば、ユーザは、既に所有している一般婦人服を本発明の授乳服１００に重ね着して授乳時に使用できる。
【００３８】
なお、以上では、絞り部１０３ａ及び絞り部１０３ｂが、シャーリングによって形成される場合を一例に挙げた。しかしながら、絞り部１０３ａ及び絞り部１０３ｂは、例えば、図１２に示すように、面ファスナーによって形成されてもよい。この場合、ユーザは、面ファスナーを操作して、通常時にはウエスト部分を絞り、授乳時にはウエスト部分を伸ばす（広げる）ことによって快適な授乳ができる。
【００３９】
また、本発明の授乳服１００は、図１３に示すように、アームホール１０４ａ及び１０４ｂの内縁部分に、伸縮部１２０ａ及び１２０ｂを更に備えてもよい。伸縮部１２０ａ及び１２０ｂは、ゴム等を用いて形成され、アームホール１０４ａ及び１０４ｂの内縁部分に沿う方向に伸縮して、アームホール１０４ａ及び１０４ｂの開口を絞る。このことによって、本発明の授乳服１００は、通常時において乳房の露出を更に抑制できる。
【００４０】
また、本発明の授乳服１００のネックホール１０５を、図１４の（ａ）〜（ｄ）に示すように、様々なデザインとしてもよい。このことによって、本発明の授乳服１００単体でのデザイン性は向上し、また、本発明の授乳服１００に一般婦人服を重ね着し、授乳服として着用する場合においても、デザイン性は大幅に向上する。
【００４１】
また、授乳服１００は、季節や生活シーンに合わせて素材や着丈を変更してもよい。
【００４２】
また、授乳服１００を構成する前身頃１０１と後身頃１０２とは、一体構造であってもよい。つまり、前身頃１と後身頃２とは、一枚の布から成ってもよい。この場合、前身頃１と後身頃２とは、肩の部分及び／又は脇腹の部分において互いに逢着される必要は無い。
【００４３】
（第２の実施形態）
第１の実施形態では、図６〜図１１を用いて、本発明の授乳服１００に一般婦人服２００を重ね着する場合についての説明を行った。しかし、図６〜図１１を用いた説明において、授乳服１００と、授乳服１００に重ね着する一般婦人服２００とのセットを、本発明の第２の実施形態に係る授乳服３００と考えることもできる。
【００４４】
ここで、授乳服１００に重ね着する授乳服としての一般婦人服２００は、図６〜図１０を用いて説明したタイプの服が好ましい。なぜなら、図６〜図１０に示したネックホール２０５が大きく開口するタイプの服の方が、よりスマートに授乳できるからである。
【００４５】
本発明の授乳服３００によれば、内側に着る授乳服１００が第１の実施形態で説明した効果を奏するので、ユーザの乳房の大きさ及び形状に関わらず、快適な授乳を可能にできる。
【産業上の利用可能性】
【００４６】
本発明は、授乳服等に利用可能であり、特に、快適な授乳を実現しつつ、ユーザの衣服に関するお洒落の範囲が狭まることを回避したい場合等に有用である。
【符号の説明】
【００４７】
１００、２００、５００、６００    授乳服
１０１    前身頃
１０２    後身頃
１０３ａ、１０３ｂ    絞り部
１０４ａ、１０４ｂ    アームホール
１０５、２０５    ネックホール
１０６ａ、１０６ｂ    乳房
１０７    アンダーバストライン
１２０ａ、１２０ｂ    伸縮部
（２００）    一般婦人服
２１０    ボタン
５０１、６０１    本体洋服
５０２、６０２    内前身頃
５０３ａ、５０３ｂ、６０３ａ、６０３ｂ    肩位置
５０３ｃ、５０３ｄ    腰位置
６０３ｃ、６０３ｄ    袖位置
６０４ａ、６０３ｂ    着脱手段
【図１】
2010163721.tif 000003
【図２】
2010163721.tif 000004
【図３】
2010163721.tif 000005
【図４】
2010163721.tif 000006
【図５】
2010163721.tif 000007
【図６】
2010163721.tif 000008
【図７】
2010163721.tif 000009
【図８】
2010163721.tif 000010
【図９】
2010163721.tif 000011
【図１０】
2010163721.tif 000012
【図１１】
2010163721.tif 000013
【図１２】
2010163721.tif 000014
【図１３】
2010163721.tif 000015
【図１４】
2010163721.tif 000016
【図１５】
2010163721.tif 000017
【図１６】
2010163721.tif 000018
【図１７】
2010163721.tif 000019
【図１８】
2010163721.tif 000020